(57)【要約】【課題】携帯端末への防犯センサの異常検知結果の不達を抑制することが可能な防犯システム、電気錠制御装置及び防犯方法を提供する。【解決手段】防犯システム１は、電気錠制御装置３と、防犯センサ２と、通知制御部３５４と、を備える。電気錠制御装置３は、携帯端末４との無線通信により携帯端末４から受信した信号に応じて建物１００の出入り口に設けられた錠３０を施錠又は解錠する。防犯センサ２は、建物１００の異常を検知するように構成される。通知制御部３５４は、電気錠制御装置３が携帯端末４からの信号を受信したときに防犯センサ２が建物１００の異常を検知した履歴がある場合、電気錠制御装置３から携帯端末４へ異常通知信号を送信させる。【選択図】図１
2018116440.tif 000002
【特許請求の範囲】
【請求項１】
携帯端末との無線通信により前記携帯端末から受信した信号に応じて建物の出入り口に設けられた錠を施錠又は解錠する電気錠制御装置と、
前記建物の異常を検知するように構成された防犯センサと、
前記電気錠制御装置が前記携帯端末からの信号を受信したときに前記防犯センサが前記建物の異常を検知した履歴がある場合、無線通信により前記電気錠制御装置から前記携帯端末へ異常通知信号を送信させる通知制御部と、を備える
ことを特徴とする防犯システム。
【請求項２】
前記防犯センサが前記建物の異常を検知した履歴がある場合、前記通知制御部は、前記建物の住人が帰宅した際に、前記電気錠制御装置から前記携帯端末へ前記異常通知信号を送信させる
ことを特徴とする請求項１に記載の防犯システム。
【請求項３】
前記電気錠制御装置は、前記建物の住人の帰宅を検知する帰宅検知部を有し、
前記防犯センサが前記建物の異常を検知した履歴がある場合、前記通知制御部は、前記帰宅検知部が前記住人の帰宅を検知すると、前記電気錠制御装置から前記携帯端末へ前記異常通知信号を送信させる
ことを特徴とする請求項１又は２に記載の防犯システム。
【請求項４】
前記電気錠制御装置は、解錠する前に前記異常通知信号を前記携帯端末に送信する
ことを特徴とする請求項１〜３のいずれか１項に記載の防犯システム。
【請求項５】
前記異常通知信号を受信した前記携帯端末から他の携帯端末へ異常通知を行わせる通知転送部を更に備える
ことを特徴とする請求項１〜４のいずれか１項に記載の防犯システム。
【請求項６】
前記携帯端末から前記他の携帯端末へ帰宅通知を行わせる帰宅通知部を更に備え、
前記通知転送部は、前記異常通知を前記帰宅通知とセットにして前記携帯端末から前記他の携帯端末へ行わせる
ことを特徴とする請求項５に記載の防犯システム。
【請求項７】
前記電気錠制御装置は、解錠動作として、前記携帯端末への操作入力によって前記携帯端末との間で行われる無線通信により解錠する第１解錠動作と、前記携帯端末への操作入力を必要とせず前記携帯端末との間で行われる無線通信により解錠する第２解錠動作とがあり、
前記電気錠制御装置は、前記防犯センサが前記建物の異常を検知した履歴がある場合、前記第２解錠動作を無効にする
ことを特徴とする請求項１〜６のいずれか１項に記載の防犯システム。
【請求項８】
携帯端末との無線通信により前記携帯端末から受信した信号に応じて建物の出入り口に設けられた錠を施錠又は解錠する電気錠制御装置であって、
前記携帯端末との間で無線通信が可能な通信部と、
前記通信部と無線通信を行った前記携帯端末の認証を行う認証部と、
前記認証部が前記携帯端末の認証を成立した場合、前記錠を施錠又は解錠する錠制御部と、を備え、
前記通信部は、防犯センサが前記建物の異常を検知した履歴がある場合、無線通信により前記携帯端末へ異常通知信号を送信する
ことを特徴とする電気錠制御装置。
【請求項９】
電気錠制御装置が、携帯端末との無線通信により前記携帯端末から受信した信号に応じて建物の出入り口に設けられた錠を施錠又は解錠する施解錠ステップと、
防犯センサが、前記建物の異常を検知する異常検知ステップと、
前記電気錠制御装置が前記携帯端末からの信号を受信したときに前記防犯センサが前記建物の異常を検知した履歴がある場合、通知制御部が、無線通信により前記電気錠制御装置から前記携帯端末へ異常通知信号を送信させる通知ステップと、を有する
ことを特徴とする防犯方法。
【発明の詳細な説明】
【技術分野】
【０００１】
本発明は、一般に防犯システム、電気錠制御装置、及び防犯方法に関し、より詳細には住人に建物の異常を通知する防犯システム、電気錠制御装置、及び防犯方法に関する。
【背景技術】
【０００２】
従来、異常検知センサの検知履歴を居住者が所有する携帯端末に送信するインターホンシステムが開示されている（例えば、特許文献１参照）。特許文献１のインターホンシステムは、インターホン親機と、異常検知センサ（防犯センサ）とを備える。異常検知センサは、防犯用の異常を検知して異常検知信号をインターホン親機に出力する。インターホン親機は、帰宅検知信号が入力されると、検知履歴記憶手段に記憶された検知履歴を、居住者が所有する携帯端末に送信する検知履歴送信手段を備える。
【０００３】
また、インターホン親機は、携帯端末に電子メールを送信する携帯通信部を備えている。携帯通信部は、表示用メッセージ作成部が検知履歴に基づいて生成した文字列や画像などを含む電子メールを、移動体通信網のメールサーバに送信する。
【先行技術文献】
【特許文献】
【０００４】
【特許文献１】特開２０１１−１９３３７７号公報
【発明の概要】
【発明が解決しようとする課題】
【０００５】
しかし、特許文献１に記載のインターホンシステム（防犯システム）では、携帯端末と移動体通信網との通信状態が悪い場合、携帯端末に電子メールが届かないおそれがあった。
【０００６】
本発明は、上記事由に鑑みてなされており、その目的は、携帯端末への防犯センサの異常検知結果の不達を抑制することが可能な防犯システム、電気錠制御装置、及び防犯方法を提供することにある。
【課題を解決するための手段】
【０００７】
本発明の一態様に係る防犯システムは、電気錠制御装置と、防犯センサと、通知制御部と、を備える。前記電気錠制御装置は、携帯端末との無線通信により前記携帯端末から受信した信号に応じて建物の出入り口に設けられた錠を施錠又は解錠する。前記防犯センサは、前記建物の異常を検知するように構成される。前記通知制御部は、前記電気錠制御装置が前記携帯端末からの信号を受信したときに前記防犯センサが前記建物の異常を検知した履歴がある場合、無線通信により前記電気錠制御装置から前記携帯端末へ異常通知信号を送信させる。
【０００８】
本発明の一態様に係る電気錠制御装置は、携帯端末との無線通信により前記携帯端末から受信した信号に応じて建物の出入り口に設けられた錠を施錠又は解錠する電気錠制御装置である。前記電気錠制御装置は、通信部と、認証部と、錠制御部と、を備える。前記通信部は、前記携帯端末との間で無線通信が可能である。前記認証部は、前記通信部と無線通信を行った前記携帯端末の認証を行う。前記錠制御部は、前記認証部が前記携帯端末の認証を成立した場合、前記錠を施錠又は解錠する。また、前記通信部は、防犯センサが前記建物の異常を検知した履歴がある場合、無線通信により前記携帯端末へ異常通知信号を送信する。
【０００９】
本発明の一態様に係る防犯方法は、施解錠ステップと、異常検知ステップと、通知ステップと、を有する。前記施解錠ステップでは、電気錠制御装置が、携帯端末との無線通信により前記携帯端末から受信した信号に応じて建物の出入り口に設けられた錠を施錠又は解錠する。前記異常検知ステップでは、防犯センサが、前記建物の異常を検知する。前記通知ステップでは、前記電気錠制御装置が前記携帯端末からの信号を受信したときに前記防犯センサが前記建物の異常を検知した履歴がある場合、通知制御部が、無線通信により前記電気錠制御装置から前記携帯端末へ異常通知信号を送信させる。
【発明の効果】
【００１０】
本発明の防犯システム、電気錠制御装置及び防犯方法では、携帯端末への防犯センサの異常検知結果の不達を抑制することが可能になるという効果がある。
【図面の簡単な説明】
【００１１】
【図１】図１は、本発明の一実施形態に係る防犯システムのブロック図である。
【図２】図２は、同上の防犯システムの動作例のシーケンス図である。
【図３】図３は、本発明の一実施形態の第１変形例に係る防犯システムのブロック図である。
【発明を実施するための形態】
【００１２】
以下、本発明の実施の形態を図面に基づいて説明する。ただし、以下に説明する実施形態は、本発明の様々な実施形態の一つに過ぎない。下記の実施形態は、本発明の目的を達成できれば、設計等に応じて種々の変更が可能である。
【００１３】
（実施形態）
＜構成＞
本実施形態の防犯システム１のブロック図を図１に示す。本実施形態の防犯システム１は、建物１００に用いられる。本実施形態では、建物１００が戸建住宅である場合について説明する。
【００１４】
本実施形態の防犯システム１は、建物１００（戸建住宅）の異常を検知し、建物１００の異常を検知した場合に住人に通知するシステムである。建物１００の異常とは、例えば住人の留守中における建物１００内への不審者の侵入、建物１００の窓の開閉、及び窓ガラスの破壊等である。
【００１５】
本実施形態の防犯システム１は、複数（図１では２つ）の防犯センサ２と、電気錠制御装置３と、を備えている。
【００１６】
防犯センサ２は、例えば、窓センサ、人感センサ等であり、建物１００の異常を検知する異常検知部２１を備えている。例えば、防犯センサ２が窓センサである場合、異常検知部２１は、建物１００の窓の開閉、窓ガラスへの衝撃の少なくともいずれかを検知するように構成される。また、防犯センサ２が人感センサである場合、異常検知部２１は、赤外線や熱を感知して人体の存在を検知するように構成される。防犯センサ２は、異常検知部２１の検知対象に応じて建物１００の内側又は外側の適所に設置されている。本実施形態の防犯システム１は、防犯センサ２を複数個（図１では２つ）備えているが、防犯センサ２の個数は１つであってもよいし、３つ以上であってもよい。
【００１７】
また、防犯センサ２は、記憶部２２と通信部２３と制御回路２４を更に備えている。
【００１８】
記憶部２２は、例えば、ＥＥＰＲＯＭ（Electrically Erasableand Programmable Read-Only Memory）のような電気的に書き換え可能な不揮発性メモリである。記憶部２２は、異常検知部２１の検知結果の履歴を記憶する。
【００１９】
通信部２３は、通信モジュールであり、電気錠制御装置３との間で通信が可能に構成されている。通信部２３と電気錠制御装置３との間の通信形態は、電波を媒体とした無線通信（例えば、特定小電力無線）であってもよいし、信号線を介した有線通信であってもよい。
【００２０】
制御回路２４は、例えばプロセッサとメモリとを有するマイクロコンピュータを備えている。プロセッサがメモリに格納されているプログラムを実行することによって、制御回路２４の機能が実現される。プロセッサが実行するプログラムは、マイクロコンピュータのメモリに予め記憶されているが、メモリカード等の記録媒体に記録されて提供されてもよいし、電気通信回線を通じて提供されてもよい。制御回路２４は、異常検知部２１、記憶部２２、及び通信部２３を制御するように構成されている。制御回路２４は、異常検知部２１が建物１００の異常を検知すると、検知結果を記憶部２２に記憶する。また、制御回路２４は、通信部２３が電気錠制御装置３からの要求信号を受信すると、記憶部２２に記憶されている異常検知部２１の検知結果の履歴を通信部２３から電気錠制御装置３へ送信させる。
【００２１】
電気錠制御装置３は、建物１００の出入り口（例えば玄関ドア）に設けられた錠３０を電動で施錠又は解錠するように構成されている。
【００２２】
錠３０は、デッドボルトを備えている。デッドボルトは、電気錠制御装置３が備える駆動部によって動作するように構成されている。駆動部は、電動モータ及び電動モータの駆動力をデッドボルトに伝達する伝達機構を有する。デッドボルトは、駆動部によって施錠位置又は解錠位置に移動する。ここで、デッドボルトが施錠位置に移動した状態では、デッドボルトの少なくとも一部が、玄関ドアを支持するドア枠に設けられたボルト穴に挿入されており、この状態では玄関ドアが閉じた状態で保持される。デッドボルトが解錠位置に移動した状態では、デッドボルトの全体がボルト穴の外に出ており、この状態では玄関ドアの開閉が可能になる。
【００２３】
電気錠制御装置３は、携帯端末４との無線通信により錠３０を施錠又は解錠するように構成されている。電気錠制御装置３は、第１通信部３１と、第２通信部３２と、記憶部３３と、操作部３４と、制御回路３５と、を備えている。
【００２４】
第１通信部３１は、携帯端末４との間で無線通信が可能な通信モジュールであり、アンテナと、通信回路とを備えている。第１通信部３１は、携帯端末４との間で、例えばＢＬＥ（Bluetooth Low Energy）の規格に準拠した近距離無線通信を行うように構成されている。ＢＬＥとは、無線ＰＡＮ（Personal Area Network）技術であるBluetooth（登録商標）の仕様における、バージョン４．０の呼称である。第１通信部３１は、ビーコン信号を間欠的に送信する。また、第１通信部３１は、ビーコン信号に応答して携帯端末４が送信した応答信号を受信する。ここで、ビーコン信号及び応答信号は、電波を媒体とする無線信号である。
【００２５】
第２通信部３２は、通信モジュールであり、防犯センサ２の通信部２３との間で通信が可能に構成されている。第２通信部３２は、防犯センサ２に要求信号を送信する。また、第２通信部３２は、要求信号に応答して防犯センサ２が送信した応答信号を受信する。応答信号には、防犯センサ２の記憶部２２に記憶されている異常検知部２１の検知結果の履歴が含まれている。
【００２６】
記憶部３３は、例えば、ＥＥＰＲＯＭのような電気的に書き換え可能な不揮発性メモリである。記憶部３３は、錠３０の解錠操作及び施錠操作が許可された１台以上の携帯端末４について識別情報と鍵情報とを認証情報として記憶する。
【００２７】
操作部３４は、例えば押ボタンスイッチを備える。操作部３４は、制御回路３５に電気的に接続されており、玄関ドアの屋外側に設けられている。使用者が押ボタンスイッチを押すことにより、制御回路３５に操作信号が入力される。
【００２８】
制御回路３５は、例えばプロセッサとメモリとを有するマイクロコンピュータを備えている。プロセッサがメモリに格納されているプログラムを実行することによって、認証部３５１、錠制御部３５２、帰宅検知部３５３、通知制御部３５４等の機能が実現される。プロセッサが実行するプログラムは、マイクロコンピュータのメモリに予め記憶されているが、メモリカード等の記録媒体に記録されて提供されてもよいし、電気通信回線を通じて提供されてもよい。
【００２９】
認証部３５１は、携帯端末４から受信した鍵情報を記憶部３３に記憶されている認証情報と照合することによって、鍵情報を送信した携帯端末４が、錠３０の施錠及び解錠を許可された携帯端末４であるか否かを判断する。本実施形態では、携帯端末４は、当該携帯端末４に割り当てられた識別情報と鍵情報とを電気錠制御装置３へ送信するように構成されている。認証部３５１は、携帯端末４から送信された識別情報及び鍵情報を、記憶部３３に記憶されている認証情報と照合することによって、鍵情報を送信してきた携帯端末４の認証を行う。
【００３０】
錠制御部３５２は、認証部３５１による携帯端末４の認証が成立した場合、錠３０の解錠又は施錠の制御指令を錠３０に駆動部に出力することにより、錠３０を解錠又は施錠する。具体的には、錠制御部３５２は、錠３０が施錠状態である場合、認証部３５１による携帯端末４の認証の成立後に操作部３４の押ボタンスイッチが押されると、解錠指令を駆動部に出力することにより、錠３０を解錠する。また、錠制御部３５２は、錠３０が解錠状態である場合、認証部３５１による携帯端末４の認証の成立後に操作部３４の押ボタンスイッチが押されると、施錠指令を駆動部に出力することにより、錠３０を施錠する。
【００３１】
帰宅検知部３５３は、第１通信部３１における携帯端末４からの応答信号の受信状態に基づいて、住人の帰宅を検知する。具体的には、帰宅検知部３５３は、第１通信部３１が携帯端末４からの応答信号を受信していない状態から応答信号の受信状態になると、住人が帰宅したと判断する。つまり、帰宅検知部３５３は、携帯端末４を携帯した住人が第１通信部３１の通信エリアに進入した場合、住人が帰宅したと判断する。
【００３２】
通知制御部３５４は、防犯センサ２が建物１００の異常を検知した履歴がある場合、住人が帰宅した際に第１通信部３１から携帯端末４へ異常通知信号を送信させる。具体的には、通知制御部３５４は、帰宅検知部３５３が住人の帰宅を検知すると、第２通信部３２から各防犯センサ２へ要求信号を送信させる。防犯センサ２は、要求信号に応答して、異常検知部２１の検知結果の履歴を含む応答信号を第２通信部３２へ送信する。通知制御部３５４は、各防犯センサ２が送信した応答信号のうち少なくとも１つの応答信号に建物１００の異常を検知したという履歴が含まれている場合、第１通信部３１から携帯端末４へ異常通知信号を送信させる。この異常通知信号は、電波を媒体とする無線信号である。
【００３３】
携帯端末４は、例えばスマートフォンである。携帯端末４は、通信部４１と、表示部４２と、操作部４３と、記憶部４４と、制御回路４５と、を備えている。ただし、携帯端末４はスマートフォンに限らず、電気錠用プログラム（アプリ）を実行可能な端末であればよく、例えばタブレット端末等であってもよい。
【００３４】
通信部４１は、電気錠制御装置３の第１通信部３１との間で無線通信が可能な通信モジュールであり、アンテナと、通信回路とを備えている。通信部４１は、電気錠制御装置３の第１通信部３１との間で、例えばＢＬＥの規格に準拠した近距離無線通信を行うように構成されている。また、通信部４１は、電気錠制御装置３の第１通信部３１から間欠的に送信されるビーコン信号を受信する。制御回路４５は、通信部４１がビーコン信号を受信すると、通信部４１から応答信号を電気錠制御装置３へ送信させる。携帯端末４からの応答信号を電気錠制御装置３が受信することにより、携帯端末４の認証を行うための認証通信が電気錠制御装置３と携帯端末４との間で開始される。
【００３５】
表示部４２は、液晶ディスプレイ、有機ＥＬ（Electro Luminescence）ディスプレイなどの薄型ディスプレイ装置である。表示部４２は、制御回路４５によって表示内容が制御される。
【００３６】
操作部４３は、例えば表示部４２を構成するディスプレイ装置に設けられたタッチパネルからなる。タッチパネルは静電容量方式、感圧式などのタッチセンサを備える。使用者が表示部４２を構成するディスプレイ装置に触れる操作（タップ操作、スワイプ操作など）を行うと、操作部４３は操作に応じた信号を制御回路４５に出力する。
【００３７】
記憶部４４は、例えば、ＥＥＰＲＯＭのような電気的に書き換え可能な不揮発性メモリである。記憶部４４は、携帯端末４に割り当てられた個別の識別情報と、電気錠制御装置３に登録した際に電気錠制御装置３から付与される鍵情報とを記憶する。また、記憶部４４には、携帯端末４のコンピュータが実行する電気錠用プログラムが記憶されている。この電気錠用プログラムは予めメモリに記憶されていてもよいし、電気通信回線を介して、あるいは記録媒体に記憶された状態で提供されてもよい。
【００３８】
制御回路４５は、例えばプロセッサとメモリとを有するマイクロコンピュータを備えている。プロセッサがメモリに格納されているプログラムを実行することによって、制御回路４５の機能が実現される。プロセッサが実行するプログラムは、マイクロコンピュータのメモリに予め記憶されているが、メモリカード等の記録媒体に記録されて提供されてもよいし、電気通信回線を通じて提供されてもよい。
【００３９】
制御回路４５は、第１通信部４１が電気錠制御装置３からの異常通知信号を受信すると、表示部４２へのメッセージ及び画像の表示、スピーカから音の発生等により、防犯センサ２が建物１００の異常を検知したことを住人に通知する。
【００４０】
＜動作例＞
次に、本実施形態の防犯システム１の動作例を図２に示すシーケンス図を参照して説明する。ここでは、住人の外出中に防犯センサ２が建物１００の異常を検知し、住人が帰宅した際における防犯システム１の動作例を説明する。
【００４１】
防犯センサ２の異常検知部２１が建物１００の異常を検知すると（異常検知ステップＳ１）、記憶部２２に、異常検知部２１が建物１００の異常を検知したという検知結果が記憶される（Ｓ２）。
【００４２】
住人が帰宅して電気錠制御装置３の第１通信部３１の通信エリアに携帯端末４を携帯した住人が進入すると、第１通信部３１が送信したビーコン信号に応答して携帯端末４から応答信号が第１通信部３１へ送信される（Ｓ３）。
【００４３】
帰宅検知部３５３は、第１通信部３１が携帯端末４からの応答信号を受信すると、住人が帰宅したと判断する（Ｓ４）。通知制御部３５４は、帰宅検知部３５３が住人の帰宅を検知すると、第２通信部３２から防犯センサ２へ要求信号を送信させる（Ｓ５）。防犯センサ２は、電気錠制御装置３からの要求信号に応答して、異常検知部２１の検知結果の履歴を含む応答信号を第２通信部３２へ送信する（Ｓ６）。応答信号には、防犯センサ２の異常検知部２１が建物１００の異常を検知したという履歴が含まれているので、通知制御部３５４は、第１通信部３１から異常通知信号を携帯端末４へ送信させる（通知ステップＳ７）。
【００４４】
携帯端末４の制御回路４５は、第１通信部４１が異常通知信号を受信すると、表示部４２へのメッセージ及び画像の表示、スピーカから音の発生等により、防犯センサ２が建物１００の異常を検知したことを住人に通知する（Ｓ８）。これにより、住人は、建物１００に入る前に建物１００で異常が発生したことを認識することができる。
【００４５】
住人が電気錠制御装置３における操作部３４の押ボタンスイッチを押すと、電気錠制御装置３が錠３０を解錠する（施解錠ステップＳ９）。
【００４６】
＜変形例＞
次に、本実施形態の防犯システム１の変形例について説明する。以下の説明では、上述した防犯システム１と同一構成については同一符号を付して説明を省略する。
【００４７】
《第１変形例》
第１変形例の防犯システム１Ａのブロック図を図３に示す。本変形例の防犯システム１Ａは、防犯センサ２と、電気錠制御装置３と、制御装置５と、を備えている。制御装置５は、防犯センサ２及び電気錠制御装置３と通信可能に構成されており、通知制御部３５４Ａを備えている。つまり、本変形例の防犯システム１Ａでは、通知制御部３５４Ａが、電気錠制御装置３とは別体の制御装置５に設けられている。
【００４８】
また、本変形例では、錠３０の解錠及び施錠が許可された携帯端末４が複数（図３では２台）あり、複数の携帯端末４を区別する場合、帰宅した住人が携帯している携帯端末４を携帯端末４ａ、外出中の住人が携帯している携帯端末４を携帯端末４ｂとする。本変形例の防犯システム１Ａは、帰宅した住人が携帯している携帯端末４ａから他の携帯端末４ｂへ、帰宅通知及び異常通知を行うように構成されている。以下に、本変形例の防犯システム１について詳細に説明する。
【００４９】
制御装置５は、第１通信部５１と、第２通信部５２と、記憶部５３と、制御回路５４と、を備えている。制御装置５は、専用端末であってもよいし、汎用端末であってもよい。また、制御装置５は、例えば、インターホン親機、ＨＥＭＳ（Home Energy Management System）コントローラ等であってもよい。
【００５０】
第１通信部５１は、防犯センサ２の通信部２３との間で通信が可能な通信モジュールである。制御装置５の第１通信部５１と、防犯センサ２の通信部２３との間の通信形態は、無線通信であってもよいし、有線通信であってもよい。
【００５１】
第２通信部５２は、電気錠制御装置３の第２通信部３２との間で通信が可能な通信モジュールである。制御装置５の第２通信部５２と、電気錠制御装置３の第２通信部３２との間の通信形態は、無線通信であってもよいし、有線通信であってもよい。
【００５２】
記憶部５３は、例えば、ＥＥＰＲＯＭのような電気的に書き換え可能な不揮発性メモリである。本変形例の防犯システム１では、防犯センサ２の制御回路２４は、異常検知部２１が建物１００の異常を検知すると、検知結果を通信部２３から制御装置５へ送信させる。制御装置５の記憶部５３には、各防犯センサ２の異常検知部２１の検知結果が記憶される。
【００５３】
制御回路５４は、例えばプロセッサとメモリとを有するマイクロコンピュータを備えている。プロセッサがメモリに格納されているプログラムを実行することによって、通知制御部３５４Ａ、帰宅通知部５４１、通知転送部５４２等の機能が実現される。プロセッサが実行するプログラムは、マイクロコンピュータのメモリに予め記憶されているが、メモリカード等の記録媒体に記録されて提供されてもよいし、電気通信回線を通じて提供されてもよい。
【００５４】
通知制御部３５４Ａは、防犯センサ２が建物１００の異常を検知した履歴がある場合、住人が帰宅した際に第１通信部３１から携帯端末４ａへ異常通知信号を送信させる。本変形例では、電気錠制御装置３の帰宅検知部３５３が住人の帰宅を検知すると、電気錠制御装置３の第２通信部３２から制御装置５の第２通信部５２へ帰宅検知信号が送信される。通知制御部３５４Ａは、記憶部５３に、防犯センサ２が建物１００の異常を検知したという履歴が記憶されている場合、第２通信部３２が帰宅検知信号を受信すると、第２通信部５２から電気錠制御装置３の第２通信部３２へ送信指示信号を送信させる。電気錠制御装置３の制御回路３５は、第２通信部３２が送信指示信号を受信すると、第１通信部３１から携帯端末４ａへ異常通知信号を送信させる。
【００５５】
帰宅通知部５４１は、帰宅した住人が携帯している携帯端末４ａが子端末である場合、携帯端末４ａから親端末である携帯端末４ｂへ帰宅通知信号を送信させる。記憶部５３には、錠３０の解錠及び施錠が許可された携帯端末４の識別情報に紐付けて、携帯端末４が子端末であるか親端末であるかの情報が記憶されている。子端末は、例えば子供が携帯する携帯端末４であり、親端末は、例えば親が携帯する携帯端末４である。
【００５６】
帰宅通知部５４１は、電気錠制御装置３の第１通信部３１が携帯端末４ａから受信した識別情報に基づいて、携帯端末４ａが子端末であるか親端末であるかを判別する。本変形例では、帰宅した住人が携帯している携帯端末４ａが子端末であり、携帯端末４ｂが親端末である。帰宅通知部５４１は、帰宅した住人が携帯している携帯端末４ａが子端末である場合、親端末である携帯端末４ｂへの帰宅通知信号の送信を指示する通知指示信号を、電気錠制御装置３を介して携帯端末４ａに出力する。
【００５７】
携帯端末４ａは、通信部４１（以下、第１通信部４１ともいう）とは通信規格が異なる第２通信部４６を備えている。第２通信部４６は、例えば移動体通信に対応した通信モジュールであり、例えばＬＴＥ（Long Term Evolution）等の通信規格によりインターネット回線６を通じて携帯端末４ｂとの間での通信が可能である。通知指示信号を受信した携帯端末４ａは、インターネット回線６を介して携帯端末４ｂへ帰宅通知信号を送信する。帰宅通知信号を受信した携帯端末４ｂは、表示部４２へのメッセージ及び画像等の表示、スピーカから音の発生等により、携帯端末４ａを携帯している住人が帰宅したことを、携帯端末４ｂを携帯している住人に通知する。
【００５８】
通知転送部５４２は、帰宅した住人が携帯している携帯端末４ａが子端末である場合、携帯端末４ａから親端末である携帯端末４ｂへ異常通知信号を転送させる。具体的には、防犯センサ２が建物１００の異常を検知した履歴があり、かつ、帰宅した住人が携帯している携帯端末４ａが子端末であるとする。この場合、通知転送部５４２は、親端末である携帯端末４ｂへの異常通知信号の転送を指示する転送指示信号を、電気錠制御装置３を介して携帯端末４ａに出力する。転送指示信号を受信した携帯端末４ａは、インターネット回線６を介して携帯端末４ｂへ異常通知信号を転送する。携帯端末４ａからの異常通知信号を受信した携帯端末４ｂは、表示部４２へのメッセージ及び画像の表示、スピーカから音の発生等により、防犯センサ２が建物１００の異常を検知したことを住人に通知する。
【００５９】
例えば、帰宅した住人が建物１００の異常への対処が難しい子供である場合、親が携帯している携帯端末４ｂに異常通知が転送され、親が子供に電話をして注意喚起や適切な指示を行うことができる。これにより、防犯システム１Ａは、住人の安全性の向上を図ることが可能となる。
【００６０】
ここで、携帯端末４ａは、携帯端末４ｂへの帰宅通知と異常通知とをセットにして行うことが好ましい。例えば、通知転送部５４２は、携帯端末４ｂへの異常通知信号の送信を帰宅通知信号の送信と同じ通信セッションで行うように指示する転送指示信号を、電気錠制御装置３を介して携帯端末４ａに出力する。携帯端末４ａは、異常通知信号と帰宅検知信号とを同じ通信セッションで携帯端末４ｂへ送信することにより、携帯端末４ｂへの帰宅通知と異常通知とをセットにして行う。これにより、例えば携帯端末４ｂを携帯している親は、異常通知と帰宅通知とを一括して確認することができる。なお、携帯端末４ａは、携帯端末４ｂへの帰宅通知と異常通知とを１つの通知信号で行うように構成されていてもよい。
【００６１】
また、本変形例の防犯システム１では、帰宅通知部５４１及び通知転送部５４２は、制御装置５に設けられているが、携帯端末４に帰宅通知部及び通知転送部が設けられていてもよい。この場合、帰宅通知部は、帰宅通知部が設けられている携帯端末４が子端末である場合、電気錠制御装置３からのビーコン信号を第１通信部４１が受信すると、第２通信部４６から携帯端末４ｂへ帰宅通知信号を送信させる。また、通知転送部は、通知転送部が設けられている携帯端末４が子端末である場合、電気錠制御装置３からの異常通知信号を受信すると、第２通信部４６から携帯端末４ｂへ異常通知信号を送信させる。
【００６２】
《第２変形例》
上述した例では、電気錠制御装置３は、認証部３５１による携帯端末４の認証の成立後に操作部３４の押ボタンスイッチが押されると、錠３０を解錠するように構成されているが、錠３０の解錠動作はこれに限らない。
【００６３】
本変形例の防犯システム１では、電気錠制御装置３は、錠３０の解錠動作として第１解錠動作と第２解錠動作とを有している。
【００６４】
第１解錠動作とは、電気錠制御装置３が、住人による携帯端末４への操作入力によって携帯端末４との間で行われる無線通信により錠３０を解錠する動作である。例えば、電気錠制御装置３の第１通信部３１の通信エリア内において、住人が携帯端末４の操作部４３へ所定の操作入力を行うことにより、携帯端末４の第１通信部４１から解錠信号が送信される。電気錠制御装置３は、携帯端末４からの解錠信号を第１通信部３１が受信すると、錠３０を解錠する。
【００６５】
第２解錠動作とは、電気錠制御装置３が、住人による携帯端末４への操作入力を必要とせず携帯端末４との間で行われる無線通信により錠３０を解錠する動作である。例えば、携帯端末４が電気錠制御装置３の第１通信部３１の通信エリア内にある場合に、住人が携帯端末４を操作しなくても自動的に携帯端末４と電気錠制御装置３との間で行われる無線通信により携帯端末４の認証が行われる。そして、電気錠制御装置３は、携帯端末４の認証の成立後に、住人により電気錠制御装置３の操作部３４の押ボタンスイッチが押されると、錠３０を解錠する。また、第２解錠動作には、電気錠制御装置３が、住人が携帯端末４を操作しなくても自動的に携帯端末４と電気錠制御装置３との間で行われる無線通信による携帯端末４の認証が成立すると、錠３０を解錠する動作も含まれる。
【００６６】
本変形例の防犯システム１では、電気錠制御装置３は、防犯センサ２が建物１００の異常を検知した履歴がある場合、第２解錠動作を無効とするように構成されている。つまり、電気錠制御装置３の錠制御部３５２は、防犯センサ２の異常検知部２１が建物１００の異常を検知した履歴がある場合、帰宅した住人によって操作部３４の押ボタンスイッチが押されても錠３０を解錠しない。したがって、住人は、錠３０を解錠するためには、携帯端末４の操作部４３に所定の操作入力を行い解錠信号を携帯端末４から電気錠制御装置３に送信する必要がある。
【００６７】
《その他の変形例》
防犯システム１が用いられる建物１００は、戸建住宅に限らず、集合住宅であってもよい。建物１００が集合住宅である場合、電気錠制御装置３は、集合住宅の住戸玄関、集合住宅のロビーの玄関のいずれに設けられていてもよい。また、建物１００は、住戸以外の店舗、事務所等であってもよい。
【００６８】
上述した例では、帰宅検知部３５３は、電気錠制御装置３の第１通信部３１の通信エリアにおける携帯端末４の有無に基づいて、住人の帰宅を検知するように構成されているが、これに限らない。帰宅検知部３５３は、住人による解錠操作に基づいて、住人の帰宅を検知するように構成されていてもよい。例えば、帰宅検知部３５３は、住人によって操作部３４の押ボタンスイッチが押された場合、住人が帰宅したと判断するように構成されていてもよい。また、帰宅検知部３５３は、住人が携帯端末４の操作部４３への所定の操作入力を行うことにより携帯端末４の第１通信部４１から送信された解錠信号を、第１通信部３１が受信した場合、住人が帰宅したと判断するように構成されていてもよい。
【００６９】
また、帰宅検知部３５３は、携帯端末４に設けられたＧＰＳ（Global Positioning System）受信機により携帯端末４の位置を把握し、携帯端末４が例えば建物１００の敷地内に進入すると住人が帰宅したと判断するように構成されていてもよい。この場合、帰宅検知部３５３は、電気錠制御装置３とは別の装置（例えば制御装置５）に設けられていてもよい。
【００７０】
通知制御部３５４（３５４Ａ）は、建物１００内に設けられている必要はなく、例えば、電気錠制御装置３及び防犯センサ２と通信可能なサーバに設けられていてもよい。
【００７１】
＜まとめ＞
第１態様に係る防犯システム１（１Ａ）は、電気錠制御装置３と、防犯センサ２と、通知制御部３５４（３５４Ａ）と、を備える。電気錠制御装置３は、携帯端末４との無線通信により携帯端末４から受信した信号に応じて建物１００の出入り口に設けられた錠３０を施錠又は解錠する。防犯センサ２は、建物１００の異常を検知するように構成される。通知制御部３５４（３５４Ａ）は、電気錠制御装置３が携帯端末４からの信号を受信したときに防犯センサ２が建物１００の異常を検知した履歴がある場合、無線通信により電気錠制御装置３から携帯端末４へ異常通知信号を送信させる。
【００７２】
電気錠制御装置３は、携帯端末４との無線通信により建物１００の出入り口を施錠又は解錠するように構成されているので、施錠又は解錠を行う際には、電気錠制御装置３と携帯端末４との間で無線通信が可能な状態にある。このような状態において、防犯センサ２の異常検知結果を示す異常通知信号が電気錠制御装置３から携帯端末４へ送信されるので、防犯システム１（１Ａ）は、携帯端末４への防犯センサ２の異常検知結果の不達を抑制することが可能になる。
【００７３】
第２態様に係る防犯システム１（１Ａ）では、第１態様において、防犯センサ２が建物１００の異常を検知した履歴がある場合、通知制御部３５４（３５４Ａ）は、建物１００の住人が帰宅した際に、電気錠制御装置３から携帯端末４へ異常通知信号を送信させることが好ましい。
【００７４】
上記構成により、防犯システム１（１Ａ）は、住人が帰宅した際に電気錠制御装置３から携帯端末４へ異常通知信号を送信するので、住人が建物１００内にいるおそれがある不審者と遭遇することを抑制することが可能となる。
【００７５】
第３態様に係る防犯システム１（１Ａ）では、第１又は第２態様において、電気錠制御装置３は、建物１００の住人の帰宅を検知する帰宅検知部３５３を有することが好ましい。防犯センサ２が建物１００の異常を検知した履歴がある場合、通知制御部３５４（３５４Ａ）は、帰宅検知部３５３が住人の帰宅を検知すると、電気錠制御装置３から携帯端末４へ異常通知信号を送信させることが好ましい。
【００７６】
上記構成により、防犯システム１（１Ａ）は、電気錠制御装置３と帰宅した住人が携帯している携帯端末４との無線通信が可能な状態で、防犯センサ２の異常検知結果を示す異常通知信号を電気錠制御装置３から携帯端末４へ送信する。これにより、防犯システム１（１Ａ）は、携帯端末４への防犯センサ２の異常検知結果の不達を抑制することが可能になる。
【００７７】
第４態様に係る防犯システム１（１Ａ）では、第１〜第３態様のいずれかにおいて、電気錠制御装置３は、解錠する前に異常通知信号を携帯端末４に送信することが好ましい。
【００７８】
上記構成により、住人は、建物１００に入る前に、建物１００に異常があったことを認識することができる。これにより、防犯システム１（１Ａ）は、住人が建物１００内にいるおそれがある不審者と遭遇することを抑制することが可能となる。
【００７９】
第５態様に係る防犯システム１（１Ａ）は、第１〜第４態様のいずれかにおいて、異常通知信号を受信した携帯端末４ａから他の携帯端末４ｂへ異常通知を行わせる通知転送部５４２を更に備えることが好ましい。
【００８０】
上記構成により、防犯システム１（１Ａ）は、例えば外出中の住人が携帯している他の携帯端末４ｂでも、建物１００に異常があったことを認識することが可能となる。
【００８１】
第６態様に係る防犯システム１（１Ａ）は、第５態様において、携帯端末４ａから他の携帯端末４ｂへ帰宅通知を行わせる帰宅通知部５４１を更に備えることが好ましい。通知転送部５４２は、異常通知を帰宅通知とセットにして携帯端末４ａから他の携帯端末４ｂへ行わせることが好ましい。
【００８２】
上記構成により、防犯システム１（１Ａ）は、他の携帯端末４ｂを携帯している住人が、異常通知と帰宅通知と一括して確認することが可能となる。
【００８３】
第７態様に係る防犯システム１（１Ａ）では、第１〜第６態様のいずれかにおいて、電気錠制御装置３は、解錠動作として、第１解錠動作と第２解錠動作とがあることが好ましい。第１解錠動作は、携帯端末４への操作入力によって携帯端末との間で行われる無線通信により解錠する動作である。第２解錠動作は、携帯端末４への操作入力を必要とせず携帯端末４との間で行われる無線通信により解錠する動作である。電気錠制御装置３は、防犯センサ２が建物１００の異常を検知した履歴がある場合、第２解錠動作を無効にすることが好ましい。
【００８４】
上記構成により、建物１００に異常がある場合、住人は、解錠するためには携帯端末４に操作入力を行う必要がある。したがって、防犯システム１（１Ａ）は、住人が、電気錠制御装置３から携帯端末４に届いた通知に気付きやすくすることが可能となる。
【００８５】
第８態様に係る電気錠制御装置３は、携帯端末４との無線通信により携帯端末４から受信した信号に応じて建物１００の出入り口に設けられた錠３０を施錠又は解錠する。電気錠制御装置３は、第１通信部３１（通信部）と、認証部３５１と、錠制御部３５２と、を備える。第１通信部３１は、携帯端末４との間で無線通信が可能である。認証部３５１は、第１通信部３１と無線通信を行った携帯端末４の認証を行う。錠制御部３５２は、認証部３５１が携帯端末４の認証を成立した場合、建物１００の出入り口に設けられた錠３０を施錠又は解錠する。第１通信部３１は、防犯センサ２が建物１００の異常を検知した履歴がある場合、無線通信により携帯端末４へ異常信号を送信する。
【００８６】
上記構成により、電気錠制御装置３は、携帯端末４への防犯センサ２の異常検知結果の不達を抑制することが可能となる。
【００８７】
第９態様に係る防犯方法は、施解錠ステップＳ９と、異常検知ステップＳ１と、通知ステップＳ７と、を有する。施解錠ステップＳ９では、電気錠制御装置３が、携帯端末４との無線通信により携帯端末４から受信した信号に応じて建物１００の出入り口に設けられた錠３０を施錠又は解錠する。異常検知ステップＳ１では、防犯センサ２が、建物１００の異常を検知する。通知ステップＳ７では、電気錠制御装置３が携帯端末４からの信号を受信したときに防犯センサ２が建物１００の異常を検知した履歴がある場合、通知制御部３５４（３５４Ａ）が、無線通信により電気錠制御装置３から携帯端末４へ異常通知信号を送信させる。
【００８８】
上記方法により、防犯方法は、防犯センサ２の異常検知結果を示す異常通知信号を電気錠制御装置３から携帯端末４へ送信するので、携帯端末４への防犯センサ２の異常検知結果の不達を抑制することが可能になる。
【符号の説明】
【００８９】
１  防犯システム
２  防犯センサ
３  電気錠制御装置
３０  錠
３１  第１通信部（通信部）
３５１  認証部
３５２  錠制御部
３５３  帰宅検知部
３５４，３５４Ａ  通知制御部
４（４ａ，４ｂ）  携帯端末
５４２  通知転送部
５４１  帰宅通知部
１００  建物
Ｓ１  異常検知ステップ
Ｓ７  通知ステップ
Ｓ９  施解錠ステップ
【図１】
2018116440.tif 000003
【図２】
2018116440.tif 000004
【図３】
2018116440.tif 000005